(57)【要約】【課題】周辺機器と内部デバイスとを共通仕様で制御できる画像表示装置、および、周辺機器の識別情報設定方法を提供すること。【解決手段】光学像を形成する装置本体と、装置本体の駆動制御を行う制御手段２３と、外部機器が接続される外部接続端子２４とを備えた画像表示装置２であって、制御手段２３は、外部機器５から入力した画像情報を処理する演算処理装置２３１と、演算処理装置２３１を補助して装置本体のシステム制御を行うシステム制御装置２３２とを備え、システム制御装置２３２および演算処理装置２３１は、外部接続端子２４およびシステム制御装置２３２間の通信プロトコルと同じ通信プロトコルにより、通信接続されている。これによれば、演算処理装置２３１から共通仕様の制御信号で内部デバイスおよび周辺機器３，４，５を制御することができる。【選択図】  図３
2006209729.tif 000002
【特許請求の範囲】
【請求項１】
入力する画像情報に応じて光学像を形成する装置本体と、前記装置本体の駆動制御を行う制御手段と、外部機器が接続される外部接続端子とを備えた画像表示装置であって、
前記制御手段は、
前記外部機器から入力した画像情報を処理する演算処理装置と、
前記演算処理装置を補助して前記装置本体のシステム制御を行うシステム制御装置とを備え、
前記システム制御装置および前記演算処理装置は、前記外部接続端子および前記システム制御装置間の通信プロトコルと同じ通信プロトコルにより、通信接続されていることを特徴とする画像表示装置。
【請求項２】
請求項１に記載の画像表示装置において、
前記通信プロトコルの信号を伝送する伝送路は、ＲＳ−２３２Ｃであることを特徴とする画像表示装置。
【請求項３】
入力する画像情報に応じて光学像を形成する装置本体、前記装置本体の駆動制御を行う制御手段、および、外部機器が接続される外部接続端子を備えた画像表示装置と、前記外部接続端子に接続され、当該外部接続端子に設定された通信プロトコルと同じ通信プロトコルで外部機器が通信接続可能な他の外部接続端子を備えた周辺機器とを備えた画像表示システム上で実行され、前記周辺機器の識別情報を設定する周辺機器の識別情報設定方法であって、
前記制御手段は、
前記画像情報を処理し、当該画像表示システムの最上位に位置する演算処理装置と、
前記外部接続端子に設定された通信プロトコルと同じ通信プロトコルで前記演算処理装置と接続され、当該演算処理装置の下位に位置する表示装置側システム制御装置とを備え、
前記周辺機器は、
当該周辺機器のシステム制御を行う機器側システム制御装置を備え、
前記周辺機器が、前記外部接続端子に接続されると、
前記機器側システム制御装置が、前記表示装置側システム制御装置に対して、当該表示装置側システム制御装置の識別情報を要求する要求信号を出力する識別情報要求ステップと、
前記表示装置側システム制御装置が、前記要求信号に基づいて、自己の識別情報を応答出力する識別情報応答出力ステップと、
前記機器側システム制御装置が、応答出力された識別情報に基づいて、自己の識別情報を設定する識別情報設定ステップとを備えていることを特徴とする周辺機器の識別情報設定方法。
【請求項４】
請求項３に記載の周辺機器の識別情報設定方法において、
前記周辺機器には、前記他の外部接続端子を介して、前記外部接続端子に設定された前記通信プロトコルと同じ通信プロトコルで通信する他の周辺機器が、前記周辺機器の下位側にさらに接続され、
前記上位側の周辺機器に、前記下位側の他の周辺機器が接続されると、
前記下位側の周辺機器の機器側システム制御装置が、前記識別情報要求ステップおよび前記識別情報設定ステップを実行するとともに、
前記上位側の周辺機器の機器側システム制御装置が、前記識別情報応答出力ステップと略同時に、前記表示装置側システム制御装置に、前記下位側の周辺機器の識別情報を有効化する有効化信号を出力する有効化信号出力ステップを実行することを特徴とする周辺機器の識別情報設定方法。
【請求項５】
請求項３または請求項４に記載の周辺機器の識別情報設定方法において、
前記識別情報は、前記画像表示装置の演算処理装置からの階層を表す所定桁数の数字列を含んで構成され、
前記識別情報設定ステップは、
応答出力された前記識別情報を、左に１桁論理シフトする手順と、
シフトした識別情報に、前記画像表示装置における前記周辺機器の接続ポート番号を加算する手順とを備えていることを特徴とする周辺機器の識別情報設定方法。
【請求項６】
入力する画像情報に応じて光学像を形成する装置本体、前記装置本体の駆動制御を行う制御手段、および、外部機器が接続される外部接続端子を備えた画像表示装置と、前記外部接続端子に接続され、当該外部接続端子に設定された通信プロトコルと同じ通信プロトコルで外部機器が通信接続可能な他の外部接続端子を備えた周辺機器とを備えた画像表示システム上で実行され、前記周辺機器の識別情報を設定する周辺機器の識別情報設定方法であって、
前記制御手段は、
前記画像情報を処理し、当該画像表示システムの最上位に位置する演算処理装置と、
前記外部接続端子に設定された通信プロトコルと同じ通信プロトコルで前記演算処理装置と接続され、当該演算処理装置の下位に位置する表示装置側システム制御装置とを備え、
前記周辺機器は、
当該周辺機器のシステム制御を行う機器側システム制御装置を備え、
前記周辺機器が、前記外部接続端子に接続されると、
前記機器側システム制御装置が、前記表示装置側システム制御装置に対して、自己の識別情報を要求する要求信号を出力する識別情報要求ステップと、
前記表示装置側システム制御装置が、前記要求信号に基づいて、前記機器側システム制御装置の識別情報を生成する識別情報生成ステップと、
生成された識別情報を、前記機器側システム制御装置に送信出力する識別情報送信出力ステップと、
前記機器側システム制御装置が、送信出力された識別情報を、自己の識別情報として設定する識別情報設定ステップとを備えていることを特徴とする周辺機器の識別情報設定方法。
【発明の詳細な説明】
【技術分野】
【０００１】
本発明は、入力する画像情報に応じて光学像を形成する装置本体と、前記装置本体の駆動制御を行う制御手段と、外部機器が接続される外部接続端子とを備えた画像表示装置、並びに、当該画像表示装置および周辺機器を備える画像表示システム上で実行され、当該画像表示システムにおける周辺機器の識別情報を設定する識別情報設定方法に関する。
【背景技術】
【０００２】
従来、会議、学会、展示会等でのプレゼンテーション等にプロジェクタが用いられている。このようなプロジェクタは、光源と、この光源から射出された光束を画像情報に応じて変調して光学像を形成する光変調装置と、この光変調装置によって形成された光学像を拡大投射する投射レンズと、当該プロジェクタ全体の駆動を制御する制御基板とを備えて構成されている。
【０００３】
このようなプロジェクタは、当該プロジェクタに設けられ、複数のスイッチが配設された操作パネル等の操作装置による操作だけでなく、外部機器との通信手段を備え、当該通信手段を介して、外部機器からの通信によって操作を行うことができるように構成されているものが知られている（例えば、特許文献１参照）。この特許文献１に記載のプロジェクタは、ＲＳ−２３２Ｃ端子を有する制御基板を備え、このＲＳ−２３２Ｃ端子を介して、パーソナルコンピュータ（Personal Computer，ＰＣ）およびリモートコントローラ等の外部制御機器と接続されている。そして、このプロジェクタは、これら外部制御機器との通信によって、画像情報に基づく画像の投射機能を制御できるように構成されている。
【０００４】
【特許文献１】特開２００４−０２１２１８号公報（第１１〜第１２頁）
【発明の開示】
【発明が解決しようとする課題】
【０００５】
しかしながら、特許文献１に記載のプロジェクタでは、プロジェクタの制御基板の制御部を構成するＣＰＵ（Central Processing Unit）が、当該プロジェクタにＲＳ−２３２Ｃ等の接続端子を介して接続された外部機器の駆動を制御する場合、制御基板上を行き交う制御信号の通信プロトコルと、制御基板および外部機器の間で入出力する制御信号の通信プロトコルとが異なるため、当該ＣＰＵは、プロジェクタの内部装置（デバイス）および外部機器に対して同一仕様の制御を行うことができない。このため、同一仕様であれば可能なプロジェクタ内外の統一的な制御を行うことができないだけでなく、制御基板と外部機器との間で入出力する制御信号に対して、それぞれの通信プロトコルに応じた信号変換を制御基板において行う必要があり、プロジェクタの制御基板における処理が複雑になるという問題がある。また、このような問題から、プロジェクタのＣＰＵで実行される制御プログラムが複雑となり、プロジェクタの開発工数が増大するという問題がある。
【０００６】
本発明の目的は、周辺機器と内部デバイスとを共通仕様で制御できる画像表示装置、並びに、当該画像表示装置および周辺機器を備えた画像表示システム上で実行され、当該周辺機器の識別情報を設定する識別情報設定方法を提供することである。
【課題を解決するための手段】
【０００７】
前記した目的を達成するために、本発明の画像表示装置は、入力する画像情報に応じて光学像を形成する装置本体と、前記装置本体の駆動制御を行う制御手段と、外部機器が接続される外部接続端子とを備えた画像表示装置であって、前記制御手段は、前記外部機器から入力した画像情報を処理する演算処理装置と、前記演算処理装置を補助して前記装置本体のシステム制御を行うシステム制御装置とを備え、前記システム制御装置および前記演算処理装置は、前記外部接続端子および前記システム制御装置間の通信プロトコルと同じ通信プロトコルにより、通信接続されていることを特徴とする。
【０００８】
ここで、通信プロトコルとは、装置間で相互通信する際の当該通信の手順（規約）を示すものである。また、以下の説明における伝送路とは、前述の通信プロトコルに基づく電気信号が輸送される経路を指し、具体的に通信信号線を指すものである。さらに、通信方式とは、これら通信プロトコルおよび伝送路によって実現される装置（デバイス）間の情報通信の方式を指すものである。
【０００９】
本発明によれば、画像表示装置の制御手段に設けられた演算処理装置とシステム制御装置との間で行われる通信のプロトコルは、当該システム制御装置と外部接続端子との間で行われる通信のプロトコルと同じとされている。これによれば、演算処理装置は、画像表示装置に外部接続端子を介して接続される外部機器と、画像表示装置に設けられる内部デバイスとを、同じ通信プロトコルの制御信号で制御することができる。すなわち、演算処理装置は、内部デバイスの駆動を制御する制御信号と同じ通信プロトコルの制御信号を用いて、外部機器を制御することができる。従って、外部機器と内部デバイスとを統一化した同一仕様の制御信号で制御することが可能となる。
【００１０】
また、通信プロトコルを統一化することができるので、画像表示装置の内部と外部とで入出力する制御信号を含む情報に対して、それぞれの通信プロトコルに応じた変換を行う必要がなくなる。従って、制御手段の構成を簡素化することができるだけでなく、制御手段における処理を簡略化することができる。例えば、このような制御手段における処理の簡略化を図ることができることにより、画像表示装置の内外のデバイスを制御するために制御手段上で実行される制御プログラムの製造工数の削減および規模の縮小化を図ることができ、また、当該制御プログラムの記述ミスを低減することができる。
【００１１】
本発明では、前記通信プロトコルの信号を伝送する伝送路は、ＲＳ−２３２Ｃであることが好ましい。
本発明によれば、画像表示装置のシステム制御装置と演算処理装置との間の通信接続の伝送路、および、当該システム制御装置と外部接続端子との間の通信接続の伝送路は、同じＲＳ−２３２Ｃとされている。これによれば、これらの通信接続に用いられる伝送路に、通信接続の伝送路として一般的なＲＳ−２３２Ｃを採用することにより、周辺機器が接続される新たな通信方式の外部接続端子を設ける必要を無くすことができる。従って、一般的な通信接続の伝送路を用いて、画像表示装置の制御手段により、周辺機器と内部デバイスとのデータ入出力および通信制御を行うことができる。
【００１２】
また、本発明の周辺機器の識別情報設定方法は、入力する画像情報に応じて光学像を形成する装置本体、前記装置本体の駆動制御を行う制御手段、および、外部機器が接続される外部接続端子を備えた画像表示装置と、前記外部接続端子に接続され、当該外部接続端子に設定された通信プロトコルと同じ通信プロトコルで外部機器が通信接続可能な他の外部接続端子を備えた周辺機器とを備えた画像表示システム上で実行され、前記周辺機器の識別情報を設定する周辺機器の識別情報設定方法であって、前記制御手段は、前記画像情報を処理し、当該画像表示システムの最上位に位置する演算処理装置と、前記外部接続端子に設定された通信プロトコルと同じ通信プロトコルで前記演算処理装置と接続され、当該演算処理装置の下位に位置する表示装置側システム制御装置とを備え、前記周辺機器は、当該周辺機器のシステム制御を行う機器側システム制御装置を備え、前記周辺機器が、前記外部接続端子に接続されると、前記機器側システム制御装置が、前記表示装置側システム制御装置に対して、当該表示装置側システム制御装置の識別情報を要求する要求信号を出力する識別情報要求ステップと、前記表示装置側システム制御装置が、前記要求信号に基づいて、自己の識別情報を応答出力する識別情報応答出力ステップと、前記機器側システム制御装置が、応答出力された識別情報に基づいて、自己の識別情報を設定する識別情報設定ステップとを備えていることを特徴とする。
【００１３】
本発明によれば、前述の画像表示装置と同様の効果を奏することができるほか、画像表示装置に周辺機器が数珠繋ぎに接続された場合でも、それぞれの周辺機器の識別情報を、画像表示装置の演算処理装置および表示装置側システム制御装置の識別情報に基づいて設定することができる。
すなわち、周辺機器が画像表示装置に接続された場合に、当該周辺機器の機器側システム制御装置が、識別情報要求ステップにより、画像表示装置の表示装置側システム制御装置に設定された識別情報を要求する。そして、周辺機器の機器側システム制御装置は、応答出力された表示装置側システム制御装置の識別情報に基づいて、識別情報設定ステップにより、自己の識別情報の設定を行う。これにより、画像表示装置に接続された周辺機器の識別情報を、当該画像表示装置の表示装置側システム制御装置の識別情報に基づいて設定することができる。
【００１４】
本発明では、前記周辺機器には、前記他の外部接続端子を介して、前記外部接続端子に設定された前記通信プロトコルと同じ通信プロトコルで通信する他の周辺機器が、前記周辺機器の下位側にさらに接続され、前記上位側の周辺機器に、前記下位側の他の周辺機器が接続されると、前記下位側の周辺機器の機器側システム制御装置が、前記識別情報要求ステップおよび前記識別情報設定ステップを実行するとともに、前記上位側の周辺機器の機器側システム制御装置が、前記識別情報応答出力ステップと略同時に、前記表示装置側システム制御装置に、前記下位側の周辺機器の識別情報を有効化する有効化信号を出力する有効化信号出力ステップを実行することが好ましい。
【００１５】
本発明によれば、周辺機器の下位側に他の周辺機器が接続された場合には、当該周辺機器の機器側システム制御装置は、有効化信号出力ステップにより、自己より上位側に位置する周辺機器の機器側システム制御部に、下位に位置する他の周辺機器の識別情報を有効化する有効化信号を出力する。これによれば、下位に接続された周辺機器の識別情報を、迅速に画像表示システム内で有効化することができる。従って、周辺機器を接続してから利用できるようになるまでの時間を短縮することができる。
【００１６】
本発明では、前記識別情報は、前記画像表示装置の演算処理装置からの階層を表す所定桁数の数字列を含んで構成され、前記識別情報設定ステップは、応答出力された前記識別情報を、左に１桁論理シフトする手順と、シフトした識別情報に、前記画像表示装置における前記周辺機器の接続ポート番号を加算する手順とを備えていることが好ましい。
【００１７】
本発明によれば、周辺機器の識別情報から、当該周辺機器の画像表示システムにおける接続位置を容易に把握することができる。また、識別情報の生成を容易に行うことができるとともに、当該識別情報自体を簡略化することができる。
すなわち、画像表示装置の演算処理装置からの階層を表す識別情報が入力すると、当該識別情報が入力した周辺機器の機器側システム制御装置は、入力した識別情報を左に１桁論理シフトする。このため、画像表示システムの最上位に位置する演算処理装置の識別情報と、機器側システム制御装置の識別情報とを比較することにより、画像表示装置の演算処理装置からの当該周辺機器の接続順位を容易に把握することができる。
また、シフトした識別情報の末桁には、当該周辺機器が接続された画像表示装置のポート番号が加算される。これによれば、画像表示装置の外部接続端子のどのポートに接続された周辺機器であるのかを容易に把握することができる。
従って、画像表示システムにおける周辺機器の接続位置を容易に把握できる識別情報の設定を行うことができる。
【００１８】
また、本発明の周辺機器の識別情報設定方法は、入力する画像情報に応じて光学像を形成する装置本体、前記装置本体の駆動制御を行う制御手段、および、外部機器が接続される外部接続端子を備えた画像表示装置と、前記外部接続端子に接続され、当該外部接続端子に設定された通信プロトコルと同じ通信プロトコルで外部機器が通信接続可能な他の外部接続端子を備えた周辺機器とを備えた画像表示システム上で実行され、前記周辺機器の識別情報を設定する周辺機器の識別情報設定方法であって、前記制御手段は、前記画像情報を処理し、当該画像表示システムの最上位に位置する演算処理装置と、前記外部接続端子に設定された通信プロトコルと同じ通信プロトコルで前記演算処理装置と接続され、当該演算処理装置の下位に位置する表示装置側システム制御装置とを備え、前記周辺機器は、当該周辺機器のシステム制御を行う機器側システム制御装置を備え、前記周辺機器が、前記外部接続端子に接続されると、前記機器側システム制御装置が、前記表示装置側システム制御装置に対して、自己の識別情報を要求する要求信号を出力する識別情報要求ステップと、前記表示装置側システム制御装置が、前記要求信号に基づいて、前記機器側システム制御装置の識別情報を生成する識別情報生成ステップと、生成された識別情報を、前記機器側システム制御装置に送信出力する識別情報送信出力ステップと、前記機器側システム制御装置が、送信出力された識別情報を、自己の識別情報として設定する識別情報設定ステップとを備えていることを特徴とする。
【００１９】
本発明によれば、前述の周辺機器の識別情報設定方法と同様の効果を奏することができるほか、以下の効果を奏することができる。
すなわち、周辺機器に設けられた機器側システム制御装置の識別情報は、当該周辺機器が接続された上位のシステム制御装置によって生成される。これによれば、上位側の周辺機器から入力する識別情報としての情報量を少なくすることができる。つまり、上位のシステム制御装置から、当該システム制御装置の識別情報と、周辺機器が接続されたポート番号等とが入力する場合に比べ、接続した下位側の周辺機器の識別情報そのものを出力することにより、入出力される情報量を少なくすることができる。従って、画像表示装置および周辺機器の間、および、周辺機器間の通信を安定化させることができるとともに、周辺機器における識別情報設定処理の負担を軽減することができる。
【発明を実施するための最良の形態】
【００２０】
〔１．第１実施形態〕
以下、本発明の第１実施形態を図面に基づいて説明する。
（１）プロジェクションシステム１の構成
図１は、本実施形態に係るプロジェクションシステム１を示す構成図である。
本実施形態のプロジェクションシステム１は、本発明の画像表示システムに相当し、図１に示すように、画像表示装置としてのプロジェクタ本体２と、周辺機器としての防塵ボックス３およびリモートコントローラ（以下、「リモコン」と略す場合がある）４と、他の周辺機器および外部機器としてのパーソナルコンピュータ（Personal Computer；以下、「ＰＣ」と略す場合がある）５とを備えて構成されている。
【００２１】
このうち、プロジェクタ本体２は、入力する画像情報に応じた光学像を形成し、当該光学像をスクリーン７に拡大投射するものである。
防塵ボックス３は、プロジェクタ本体２に制御信号線ＣＬを介して接続されている。この防塵ボックス３は、プロジェクタ本体２の制御下で、当該プロジェクタ本体２に塵埃を除去した清浄な空気を供給して、プロジェクタ本体２内部の冷却を補助する周辺機器である。このため、防塵ボックス３内には、図１においては図示を省略するが、当該防塵ボックス３内に吸入した空気を清浄化するフィルタ３４（図３）と、プロジェクタ本体２に空気を送風するためのファン３３（図３）とが設けられている。
ここで、制御信号線ＣＬは、本実施形態では、ＲＳ−２３２Ｃケーブルとされている。
【００２２】
リモコン４は、プロジェクタ本体２と制御信号線ＣＬを介して接続され、当該プロジェクタ本体２を遠隔操作する周辺機器である。このリモコン４には、複数のスイッチ４３が設けられており、当該スイッチ４３の入力操作に応じた制御信号を、制御信号線ＣＬを介して、プロジェクタ本体２に出力するように構成されている。
ＰＣ５は、防塵ボックス３に制御信号線ＣＬを介して接続されるとともに、プロジェクタ本体２に情報信号線ＩＬを介して接続され、当該情報信号線ＩＬを介してプロジェクタ本体２に画像情報を出力する。
【００２３】
（２）プロジェクタ本体２の構成
図２は、プロジェクタ本体２の内部構成を示す模式図である。
プロジェクタ本体２は、光学像を形成する光学ユニット２１と、当該光学ユニット２１で形成された光学像を拡大投射する投射レンズ２２と、プロジェクタ本体２の装置全体の駆動を制御する制御基板２３（図２では図示省略）と、防塵ボックス３およびリモートコントローラ４と接続されるＲＳ−２３２Ｃ端子２４（図２では図示省略）と、これらに電力を供給する電源ユニット２６と、これらを内部に収納する合成樹脂製の外装ケース２７とを備えて構成されている。
このうち、外装ケース２７は、全体略直方体状を有する合成樹脂製のケースとして構成されている。この外装ケース２７は、外面に複数の操作ボタンが配設された操作パネル２７１（図３）を備えている。この操作パネル２７１の各操作ボタンは、後述する制御基板２３（図３）に接続され、当該操作ボタンの入力に応じた制御信号が、制御基板２３に出力される。
また、電源ユニット２６は、外部電源から入力する交流電流を直流電流に変換し、当該直流電流を、プロジェクタ本体２を構成する各電子部品に応じた所定の電圧に変換して、当該電子部品に供給する。この電源ユニット２６は、変換した直流電流から交流矩形波電流を発生して、後述する光源ランプ２１１６の点灯を制御する光源駆動回路２６１（図３）を備えている。
【００２４】
（2-1）光学ユニット２１の構成
光学ユニット２１は、光源から射出された光束を、光学的に処理して画像情報に対応した光学像（カラー画像）を形成し、投射レンズ２２を介して、スクリーン７の投射面（図１）上に拡大投射するユニットである。この光学ユニット２１は、外装ケース２７の背面（図２における下側の面）に沿って延出するとともに、外装ケース２７の側面に沿って延出する平面視略Ｌ字形状に構成されている。
このうち、投射レンズ２２は、詳しい図示を省略するが、鏡筒内部に複数のレンズが収納された組レンズとして構成されている。
【００２５】
光学ユニット２１は、図２に示すように、インテグレータ照明光学系２１１と、色分離光学系２１２と、リレー光学系２１３と、光学装置２１４と、これら光学部品２１１〜２１４を、照明光軸Ａ上の所定位置に配置する光学部品用筐体２１５とを備えている。
インテグレータ照明光学系２１１は、光学装置２１４を構成する後述する液晶パネル２１４１の画像形成領域を略均一に照明するための光学系である。このインテグレータ照明光学系２１１は、光源装置２１１１と、第１レンズアレイ２１１２と、第２レンズアレイ２１１３と、偏光変換素子２１１４と、重畳レンズ２１１５とを備える。
【００２６】
光源装置２１１１は、放射状の光線を射出する光源ランプ２１１６と、この光源ランプ２１１６から射出された放射光を反射するリフレクタ２１１７とを備えて構成されている。
このうち、光源ランプ２１１６は、本実施形態では、高圧水銀ランプを採用しているが、これに限らず、ハロゲンランプおよびメタルハライドランプ等を採用することができる。
また、リフレクタ２１１７は、本実施形態では、放物面鏡を採用しているが、これに限らず、楕円面鏡で構成し、光束射出側に該楕円面鏡により反射された光束を平行光とする平行化凹レンズを採用した構成としてもよい。
【００２７】
第１レンズアレイ２１１２は、光軸方向から見て略矩形状の輪郭を有する小レンズがマトリクス状に配列された構成を有している。これら各小レンズは、光源装置２１１１から射出される光束を、複数の部分光束に分割する。
第２レンズアレイ２１１３は、第１レンズアレイ２１１２と略同様な構成を有しており、小レンズがマトリクス状に配列された構成を有している。この第２レンズアレイ２１１３は、重畳レンズ２１１５とともに、第１レンズアレイ２１１２の各小レンズの像を光学装置２１４の後述する液晶パネル２１４１上に結像させる機能を有している。
【００２８】
偏光変換素子２１１４は、第２レンズアレイ２１１３と重畳レンズ２１１５との間に配置され、第２レンズアレイ２１１３から射出された光束を、略１種類の直線偏光に変換するものである。
具体的に、偏光変換素子２１１４によって略１種類の直線偏光に変換された各部分光束は、重畳レンズ２１１５によって最終的に、光学装置２１４の後述する液晶パネル２１４１上にほぼ重畳される。ここで、直線偏光を変調するタイプの液晶パネルを用いたプロジェクタでは、１種類の偏光光しか利用できないため、ランダムな偏光光を発する光源装置２１１１から射出される光の略半分を利用できない。このため、本実施形態では、偏光変換素子２１１４を用いることで、光源装置２１１１からの射出光を略１種類の直線偏光に変換し、光学装置２１４での光の利用効率を高めている。
【００２９】
色分離光学系２１２は、２枚のダイクロイックミラー２１２１，２１２２と、反射ミラー２１２３とを備えて構成され、当該ダイクロイックミラー２１２１，２１２２によって、インテグレータ照明光学系２１１から射出された複数の部分光束を、赤、緑、青の３色の色光に分離する機能を有している。
リレー光学系２１３は、入射側レンズ２１３１、リレーレンズ２１３３、および、反射ミラー２１３２，２１３４を備え、色分離光学系２１２で分離された赤色光を光学装置２１４の後述する赤色光側の液晶パネル２１４１（２１４１Ｒ）まで導く機能を有している。
【００３０】
ここで、色分離光学系２１２のダイクロイックミラー２１２１は、インテグレータ照明光学系２１１から射出された光束のうち、青色光成分を反射するとともに、赤色光成分と緑色光成分とを透過させる。ダイクロイックミラー２１２１で反射した青色光は、反射ミラー２１２３で反射した後、フィールドレンズ２１１８を通って、光学装置２１４の後述する青色光側の液晶パネル２１４１（２１４１Ｂ）に達する。このフィールドレンズ２１１８は、第２レンズアレイ２１１３から射出された各部分光側をその中心軸（主光線）に対して平行な光束に変換する。この他の緑色光用および赤色光用の液晶パネル２１４１（２１４１Ｇ，２１４１Ｒ）の光束入射側に設けられたフィールドレンズ２１１８も、同様の構成および機能である。
【００３１】
ダイクロイックミラー２１２１を透過した赤色光成分と緑色光成分のうち、緑色光成分は、ダイクロイックミラー２１２２で反射した後、フィールドレンズ２１１８を通って、光学装置２１４の後述する緑色光側の液晶パネル２１４１（２１４１Ｇ）に達する。
一方、赤色光成分は、ダイクロイックミラー２１２２を透過した後、前述のリレー光学系２１３を通り、さらにフィールドレンズ２１１８を通って光学装置２１４の後述する赤色光側の液晶パネル２１４１（２１４１Ｒ）に達する。
【００３２】
ここで、赤色光成分にリレー光学系２１３が用いられているのは、赤色光成分の光路の長さが、他の色光成分の光路の長さよりも長いため、光の発散等による光の利用効率の低下を防止するためである。すなわち、入射側レンズ２１３１に入射した部分光束をそのまま、フィールドレンズ２１１８に伝えるためである。
なお、本実施形態においては赤色光成分の光路の長さが長いので、赤色光成分の光路上にリレー光学系２１３を配置した構成としたが、青色光成分の光路を長くする構成も考えられる。このような場合は、青色光成分の光路上にリレー光学系２１３を配置するようにすればよい。
【００３３】
光学装置２１４は、入射された光束を画像情報に応じて変調してカラー画像を形成する。この光学装置２１４は、色分離光学系２１２で分離された各色光が入射される３つの入射側偏光板２１４２と、この入射側偏光板２１４２の後段に配置される液晶パネル２１４１（２１４１Ｒ，２１４１Ｇ，２１４１Ｂ）および射出側偏光板２１４３と、色合成光学装置としてのクロスダイクロイックプリズム２１４４とを備える。
【００３４】
液晶パネル２１４１（２１４１Ｒ，２１４１Ｇ，２１４１Ｂ）は、本発明の光変調素子に相当する。この液晶パネル２１４１は、例えば、ポリシリコンＴＦＴをスイッチング素子として用いたものであり、対向配置される２つの透光性基板と、これら透光性基板により密閉封入される液晶材料から構成される液晶層とを備えて構成されている。そして、この液晶パネル２１４１は、入射側偏光板２１４２を介して入射する光束を画像情報に応じて変調して射出する。
【００３５】
入射側偏光板２１４２は、色分離光学系２１２で分離された各色光のうち、一定方向の偏光光のみ透過させ、その他の光束を吸収するものであり、サファイアガラス等の基板に偏光膜が貼付されたものである。
また、射出側偏光板２１４３も、入射側偏光板２１４２と略同様に構成され、液晶パネル２１４１から射出された光束のうち、所定方向の偏光光のみを透過させ、その他の光束を吸収するものであり、透過させる偏光光の偏光軸は、入射側偏光板２１４２における透過させる偏光光の偏光軸に対して直交するように設定されている。
【００３６】
クロスダイクロイックプリズム２１４４は、射出側偏光板２１４３から射出され、色光毎に変調された光学像を合成して、カラー画像を形成するものである。このクロスダイクロイックプリズム２１４４には、赤色光を反射する誘電体多層膜と、青色光を反射する誘電体多層膜とが、４つの直角プリズムの界面に沿って略Ｘ字状に設けられ、これらの誘電体多層膜により３つの色光が合成される。
【００３７】
（2-2）制御基板２３の構成
図３は、プロジェクションシステム１におけるプロジェクタ本体２および防塵ボックス３の内部構成を示すブロック図である。
プロジェクタ本体２の制御基板２３は、本発明の制御手段に相当し、装置全体の駆動制御を行うものである。この制御基板２３は、演算処理装置としてのＣＰＵ（Central Processing Unit）２３１と、表示装置側システム制御装置としてのシステム制御ＩＣ２３２とを備えており、２つのＲＳ−２３２Ｃ端子２４（２４１，２４２）、映像入力端子２５および各電子部品と電気的に接続されている。
【００３８】
ＣＰＵ２３１は、映像入力端子２５を介して外部機器から入力する画像情報を処理するとともに、プロジェクタ本体２の装置全体の駆動制御を行う。また、このＣＰＵ２３１は、プロジェクションシステム１全体の制御を実行する。このＣＰＵ２３１は、機能的に、通信インターフェース（通信ＩＦ）２３１１と、処理部２３１２と、映像処理部２３１３とを備えている。なお、このＣＰＵ２３１には、識別情報としてのＩＤ番号が設定されており、このＣＰＵ２３１のＩＤ番号は、「０００００００１」とされている。
【００３９】
通信インターフェース２３１１は、システム制御ＩＣ２３２と通信接続され、ＲＳ−２３２Ｃ端子２４およびシステム制御ＩＣ２３２を介して入力する周辺機器およびプロジェクタ本体２の駆動状態を示す状態情報を、処理部２３１２に受け渡す。また、処理部２３１２により生成された、周辺機器およびプロジェクタ本体２の制御情報を、システム制御ＩＣ２３２に出力する。
処理部２３１２は、図示しないＲＯＭ（Read Only Memory）に格納された制御プログラムを読み込んで実行し、通信インターフェース２３１１を介して入力する周辺機器およびプロジェクタ本体２の状態情報を処理して、周辺機器およびプロジェクタ本体２のデバイスに対して、これらを駆動制御する制御情報を生成出力する。この制御情報は、周辺機器およびプロジェクタ本体２の電子部品を駆動する制御信号（コマンド）と、当該制御情報が送られる送信先のＩＤ番号を含んでいる。これにより、誤りなく送信先に制御信号を送ることができる。
【００４０】
映像処理部２３１３は、後述するＰＣ５が情報信号線ＩＬを介して接続される映像入力端子２５と接続されており、当該映像入力端子２５を介して入力する画像情報を処理し、当該画像情報に応じて液晶パネル２１４１を駆動する。この映像入力端子２５としては、Ｄ−Ｓｕｂ端子、ＤＶＩ端子、ＨＤＭＩ端子、ＵＳＢ（Universal Serial Bus）端子、ＩＥＥＥ１３９４端子、コンポジットビデオ入力端子、コンポーネントビデオ入力端子、セパレートビデオ端子、スカート端子等を挙げることができる。
【００４１】
システム制御ＩＣ２３２は、制御基板２３における処理を補助するものであり、データの入出力を制御するほか、プロジェクタ本体２を構成する内部デバイスの一部を制御する。このシステム制御ＩＣ２３２は、３つの通信インターフェース（通信ＩＦ）２３２１，２３２２，２３２３と、それぞれの通信インターフェース２３２１〜２３２３を制御するシステム制御部２３２４とを備えている。
このようなシステム制御ＩＣ２３２には、識別情報としてのＩＤ番号が設定されており、このシステム制御ＩＣ２３２のＩＤ番号は、「００００００１０」とされている。
【００４２】
通信インターフェース２３２１は、ＣＰＵ２３１の通信インターフェース２３１１と通信接続されており、他の通信インターフェース２３２２，２３２３およびシステム制御部２３２４から入力する状態情報、および、これらにＣＰＵ２３１で生成された制御情報を出力する。
通信インターフェース２３２２，２３２３は、それぞれＲＳ−２３２Ｃ端子２４１，２４２と接続され、当該ＲＳ−２３２Ｃ端子２４１，２４２に接続された周辺機器、すなわち、本実施形態では、防塵ボックス３およびリモートコントローラ４からの状態情報の入力、および、これらに対する制御情報の出力を行う。すなわち、通信インターフェース２３２２，２３２３は、プロジェクタ本体２に周辺機器が通信接続されるポートであり、通信インターフェース２３２２のポート番号が「０」、通信インターフェース２３２３のポート番号が「１」とされている。
【００４３】
システム制御部２３２４は、通信インターフェース２３２１〜２３２３と接続され、これら通信インターフェース２３２１〜２３２３の間で行われる情報通信を制御する。また、このシステム制御部２３２４は、光源ランプ２１１６を点灯させる光源駆動回路２６１、各種操作スイッチを有する操作パネル２７１、プロジェクタ本体２内部を冷却するファン２８、および、当該ファン２８からプロジェクタ本体２外に排出される空気の温度を検出するセンサ２９等の内部デバイスと電気的に接続され、状態情報および制御情報等の電気信号の入出力を行う。
なお、ＣＰＵ２３１は、センサ２９により排気温度を検出して、ファン２８および後述する防塵ボックス３のファン３３の駆動を制御する。
【００４４】
ここで、通信インターフェース２３２１と、ＣＰＵ２３１の通信インターフェース２３１１との間の信号伝送に用いられる伝送路、および、通信インターフェース２３２２，２３２３と、ＲＳ−２３２Ｃ端子との間の信号伝送に用いられる伝送路は、それぞれＲＳ−２３２Ｃとされ、それぞれの伝送路を用いた通信における通信プロトコルは、それぞれ同じとされている。
これにより、ＣＰＵ２３１は、システム制御ＩＣ２３２の通信インターフェース２３２２，２３２３およびＲＳ−２３２Ｃ端子２４１，２４２を介して、後述する防塵ボックス３およびリモコン４に、ＣＰＵ２３１の通信インターフェース２３１１への制御信号の通信プロトコルと同じ仕様の制御信号を出力することができる。従って、ＣＰＵ２３１は、ＲＳ−２３２Ｃ端子に接続される周辺機器、および、システム制御ＩＣ２３２のシステム制御部２３２４に接続されたプロジェクタ本体２の内部装置（デバイス）を、共通仕様の制御信号で駆動制御することができる。
【００４５】
（３）防塵ボックス３の構成
防塵ボックス３は、図１に示すように、プロジェクタ本体２の側面に取り付けられ、図３に示すように、プロジェクタ本体２のＲＳ−２３２Ｃ端子２４１と、当該防塵ボックス３に設けられたＲＳ−２３２Ｃ端子３２１とにより通信接続されている。そして、この防塵ボックス３は、内部に設けられたフィルタ３４により塵埃を除去した清浄な空気をプロジェクタ本体２に供給する。
【００４６】
この防塵ボックス３は、図３に示すように、システム制御ＩＣ３１と、プロジェクタ本体２およびＰＣ５に接続するための機器側インターフェースとしてのＲＳ―２３２Ｃ端子３２（３２１，３２２，３２３）と、防塵ボックス３の外部から取り込んだ空気をプロジェクタ本体２に送風するファン３３と、当該ファン３３により防塵ボックス３外部から取り込んだ空気を清浄化するフィルタ３４とを備えて構成されている。
【００４７】
システム制御ＩＣ３１は、防塵ボックス３内部のシステム制御を行うものであり、また、防塵ボックス３に入力する情報（状態情報および制御情報）、防塵ボックス３から出力される情報（状態情報および制御情報）、および、防塵ボックス３内の内部情報の入出力制御を行う。このシステム制御ＩＣ３１は、プロジェクタ本体２の制御基板２３を構成するシステム制御ＩＣ２３２と同じものであり、３つの通信インターフェース（通信ＩＦ）３１１〜３１３と、システム制御部３１４とを備えて構成されている。
【００４８】
通信インターフェース３１１は、ＲＳ−２３２Ｃ端子３２１を介してプロジェクタ本体２のＲＳ−２３２Ｃ端子２４１と通信接続される。
また、通信インターフェース３１２，３１３は、前述のプロジェクタ本体２の通信インターフェース２３２２，２３２３と同様に、プロジェクタ本体２以外の他の機器が接続される通信ポートとして構成されている。このうち、ポート「０」番とされた通信インターフェース３１２は、ＲＳ−２３２Ｃ端子３２２を介してＰＣ５と通信接続されている。さらに、ポート「１」番とされた通信インターフェース３１３は、ＲＳ−２３２Ｃ端子３２３と接続されており、当該ＲＳ−２３２Ｃ端子３２３に外部機器が接続された場合に、当該外部機器との通信を行う。
【００４９】
また、システム制御部３１４は、前述のシステム制御部２３２４と同様に、システム制御ＩＣ３１における通信状態を制御する。また、このシステム制御部３１４は、ファン３３と接続されており、ファン３３に制御信号を出力して、当該ファン３３の駆動制御を行う。
【００５０】
ここで、ファン３３の駆動制御は、システム制御ＩＣ３１を介して、プロジェクタ本体２のＣＰＵ２３１により行われる。詳述すると、防塵ボックス３がプロジェクタ本体２に接続されると、システム制御ＩＣ２３２およびＣＰＵ２３１は、防塵ボックス３の接続を認識し、ＣＰＵ２３１は、システム制御ＩＣ２３２を介して防塵ボックス３に、ファン３３を駆動させる制御信号を出力する。この制御信号は、防塵ボックス３のＲＳ−２３２Ｃ端子３２１からシステム制御ＩＣ３１に入力し、当該システム制御ＩＣ３１は、当該制御信号に応じたファン駆動信号をファン３３に対して出力する。これにより、当該ファン駆動信号が入力したファン３３が駆動する。
【００５１】
このようにして駆動するファン３３により、防塵ボックス３内にフィルタ３４を介して塵埃等が除去された清浄な空気を取り込み、当該清浄な空気をプロジェクタ本体２内部に送風することができるので、プロジェクタ本体２に塵埃等が侵入することを防ぐことができる。従って、プロジェクタ本体２内を清浄な状態として、当該プロジェクタ本体２内部の装置を冷却することができる。
また、防塵ボックス３のファン３３の駆動制御を、プロジェクタ本体２のＣＰＵ２３１によって行うことができるので、防塵ボックス３にファン３３の駆動を制御するＣＰＵ等を新たに設ける必要を無くすことができ、防塵ボックス３の構成を簡略化することができる。
【００５２】
さらに、プロジェクタ本体２の内部装置の冷却において、当該プロジェクタ本体２のＣＰＵ２３１は、プロジェクタ本体２のファン２８と防塵ボックス３のファン３３とを共通の通信プロトコルの制御信号により制御することができる。これによれば、あたかも防塵ボックス３のファン３３がプロジェクタ本体２内に存在するかのように、当該ファン３３を制御することができる。従って、防塵ボックス３に対する制御信号の出力等の制御処理を簡略化できるとともに、当該制御信号の信頼性を向上することができる。
【００５３】
このような防塵ボックス３のシステム制御ＩＣ３１には、前述のプロジェクタ本体２のＣＰＵ２３１およびシステム制御ＩＣ２３２と同様に、識別情報としてのＩＤ番号が設定されており、当該システム制御ＩＣ３１のＩＤ番号は、「０００００１００」とされている。このＩＤ番号の設定は、システム制御ＩＣ３１のシステム制御部３１４によって行われる。なお、このＩＤ番号の設定処理については、後に詳述する。
【００５４】
（４）リモートコントローラ４の構成
図４は、プロジェクタ本体２およびリモートコントローラ４の内部構成を示すブロック図である。なお、図４においては、プロジェクタ本体２の構成は、一部省略して図示している。
リモートコントローラ（リモコン）４は、前述のように、プロジェクタ本体２のＲＳ−２３２Ｃ端子２４２に接続され、当該リモコン４の操作に応じた制御信号をプロジェクタ本体２に送信して、当該プロジェクタ本体２を遠隔操作するものである。
このリモコン４は、図４に示すように、ＣＰＵ４１と、システム制御ＩＣ４２と、各種スイッチ４３と、プロジェクタ本体２および他の周辺機器が接続可能な機器側インターフェースとしての２つのＲＳ−２３２Ｃ端子４４（４４１，４４２）とを備えている。
このうち、ＲＳ−２３２Ｃ端子４４１には、制御信号線ＣＬを介してプロジェクタ本体２が接続され、ＲＳ−２３２Ｃ端子４４２には、本実施形態では何も接続されていない。
【００５５】
ＣＰＵ４１は、プロジェクタ本体２のＣＰＵ２３１と同様に、機能的に、通信インターフェース（通信ＩＦ）４１１および処理部４１２を備えている。
このうち、通信インターフェース４１１は、システム制御ＩＣ４２の通信インターフェース（通信ＩＦ）４２３と通信接続されており、スイッチ４３から出力される操作信号や、ＲＳ−２３２Ｃ端子４４に接続された外部機器から入力する状態情報等を、システム制御ＩＣ４２を介して、処理部４１２に受け渡す。
処理部４１２は、リモコン４の装置全体の駆動制御を行うとともに、システム制御ＩＣ４２および通信インターフェース４１１を介して入力するスイッチ４３からの操作信号に基づいて、プロジェクタ本体２に出力する制御信号を生成する。この制御信号は、通信インターフェース４１１からシステム制御ＩＣ４２に出力され、ＲＳ−２３２Ｃ端子４４１を介して、プロジェクタ本体２に出力される。
【００５６】
システム制御ＩＣ４２は、リモコン４で実行される制御処理を補助するとともに、状態情報および制御情報等の情報の入出力を制御するものである。このシステム制御ＩＣ４２は、前述のプロジェクタ本体２のシステム制御ＩＣ２３２、および、防塵ボックス３のシステム制御ＩＣ３１と同じシステム制御ＩＣとされている。すなわち、このシステム制御ＩＣ４２は、３つの通信インターフェース４２１〜４２３と、システム制御部４２４とを備えて構成されている。
なお、このシステム制御ＩＣ４２には、防塵ボックス３のシステム制御ＩＣ３１と同様に、識別情報としてのＩＤ番号が設定されており、当該システム制御ＩＣ４２のＩＤ番号は、「０００００１０１」とされている。
【００５７】
通信インターフェース４２１は、ＲＳ−２３２Ｃ端子４４１を介して、プロジェクタ本体２と通信接続される。また、通信インターフェース４２２は、ＲＳ−２３２Ｃ端子４４２を介して他の周辺機器と通信接続する。このため、通信インターフェース４２２には、ポート番号が振られており、当該通信インターフェース４２２のポート番号は「０」とされている。さらに、通信インターフェース４２３は、ＣＰＵ４１の通信インターフェース４１１と通信接続されている。
【００５８】
システム制御部４２４は、通信インターフェース４２１〜４２３における通信制御を行う。また、システム制御部４２４は、当該リモートコントローラ４に設けられた各種スイッチ４３と電気的に接続されており、当該スイッチの入力に応じた操作信号が入力すると、当該操作信号を、通信インターフェース４２３を介してＣＰＵ４１に出力する。
このシステム制御部４２４は、後述するＩＤ番号の設定処理を実行し、プロジェクションシステム１におけるリモートコントローラ４のシステム制御ＩＣ４２のＩＤ番号を設定する。
【００５９】
（５）ＰＣ５の構成
図５は、プロジェクタ本体２およびパーソナルコンピュータ（ＰＣ）５の内部構成を示すブロック図である。なお、図５においては、プロジェクタ本体２の構成は、一部省略して図示している。
ＰＣ５は、前述のように、防塵ボックス３のポート番号「０」である通信インターフェース３１２に制御信号線ＣＬを介して接続され、状態情報および制御情報の通信を行うとともに、情報信号線ＩＬを介して接続されたプロジェクタ本体２に、画像情報を出力する。このＰＣ５は、ＣＰＵ５１と、コンピュータシステムＩＣ５２と、ＲＳ−２３２Ｃ端子５３と、映像出力端子５４とを備えて構成されている。
このうち、ＣＰＵ５１は、図示しないＲＯＭやＨＤＤ（Hard Disk Drive）等の記憶手段から各種プログラムを読み込んで実行することにより、ＰＣ５全体の駆動制御を行い、また、所定の処理を実行する。このようなＣＰＵ５１は、コンピュータシステムＩＣ５２と通信接続する通信インターフェース（通信ＩＦ）５１１と、当該通信インターフェース５１１を介して入力する信号を処理し、制御信号等を出力する処理部５１２とを備えている。
【００６０】
コンピュータシステムＩＣ５２は、ＣＰＵ５１を補助してＰＣ５の駆動制御の一部、例えば、割り込み要求やＤＭＡ（Direct Memory Access）、システム・クロック、タイマ、電力管理などＰＣ５の基礎的な部分を制御するとともに、データ転送を制御する。また、コンピュータシステムＩＣ５２は、描画処理機能を有し、ＣＰＵ５１からの制御信号に応じた描画処理を行って画像情報を生成し、当該画像情報を外部機器、すなわち、本実施形態ではプロジェクタ本体２に出力する。このようなコンピュータシステムＩＣ５２は、ＰＣ５内にチップセットとして組み込まれている。
このコンピュータシステムＩＣ５２は、３つの通信インターフェース（通信ＩＦ）５２１〜５２３と、システム制御部５２４とを機能的に備えている。
【００６１】
システム制御部５２４は、通信制御部５２４１と、描画処理を行う描画処理部５２４２とを機能的に備えている。
このうち、通信制御部５２４１は、通信インターフェース５２１〜５２３、および、ＰＣ５を構成する各種デバイスとそれぞれ接続されており、これらの通信制御および駆動制御を行う。また、描画処理部５２４２は、映像出力端子５４と接続された通信インターフェース５２２に接続され、当該通信インターフェース５２２に画像情報を出力する。
このようなシステム制御部５２４は、ＣＰＵ５１の制御に基づいて、当該通信インターフェース５２１を介して、前述のプロジェクタ本体２と防塵ボックス３との間で行われる通信と同様の通信を、通信インターフェース５２１と接続される外部機器（本実施形態では、防塵ボックス３）との間で行うように動作する。この場合のＰＣ５の識別情報としてのＩＤ番号には、当該ＰＣ５のＣＰＵ５１が、後述するＩＤ番号設定処理を後述するＩＤ設定処理を実行することにより、「００００１０００」が設定される。
【００６２】
通信インターフェース５２１は、ＲＳ−２３２Ｃ端子５３と接続される通信インターフェースであり、当該ＲＳ−２３２Ｃ端子５３を介して行われる防塵ボックス３とシステム制御部５２４との通信を仲介する。具体的に、通信インターフェース５２１は、ＲＳ−２３２Ｃ端子５３を介して防塵ボックス３から入力する制御信号を、システム制御部５２４の通信制御部５２４１に出力する。また、通信インターフェース５２１は、通信制御部５２４１から入力する制御信号を、ＲＳ−２３２Ｃ端子５３を介して防塵ボックス３に出力する。
【００６３】
通信インターフェース５２２は、前述のように映像出力端子５４と接続され、当該映像出力端子５４を介してプロジェクタ本体２と通信接続されている。この通信インターフェース５２２は、映像出力端子５４を介して、当該システム制御部５２４の描画処理部５２４２が生成した画像情報をプロジェクタ本体２に送信出力する。このような映像出力端子５４は、プロジェクタ本体２の映像入力端子２５と同じ端子とされている。
【００６４】
通信インターフェース５２３は、ＣＰＵ５１の通信インターフェース５１１と通信接続されている。この通信インターフェース５２３は、防塵ボックス３から通信インターフェース５２１を介してシステム制御部５２４の通信制御部５２４１に入力した制御信号をＣＰＵ５１に出力する一方で、当該ＣＰＵ５１から入力した制御信号を、通信制御部５２４１に出力する。
【００６５】
（６）周辺機器接続時のＩＤ番号設定処理
図６は、周辺機器接続時のＩＤ番号設定処理の処理フローを示す図である。具体的には、図６は、プロジェクタ本体２に防塵ボックス３を接続した場合の処理フローを示す図である。
本実施形態のプロジェクションシステム１では、プロジェクタ本体２のＣＰＵ２３１が最上位すなわち第１位、システム制御ＩＣ２３２が第２位となり、当該プロジェクタ本体２のＲＳ−２３２Ｃ端子２４１，２４２に直接接続される周辺機器（本実施形態では、防塵ボックス３およびリモートコントローラ４）のシステム制御ＩＣが第３位となる。また、当該周辺機器に他の周辺機器が接続された場合には、当該他の周辺機器（本実施形態では、ＰＣ５）が第４位となり、以下接続順にシステム制御ＩＣの順位が決定され、それぞれＩＤ番号が設定される。このようなプロジェクションシステム１において、上位であるプロジェクタ本体２または周辺機器に、他の周辺機器が接続された場合には、プロジェクタ本体２または周辺機器のシステム制御ＩＣは、下位である周辺機器のシステム制御ＩＣにＩＤ番号を設定するデータを送信するとともに、さらに上位の周辺機器およびプロジェクタ本体２のシステム制御ＩＣに対して、下位のシステム制御ＩＣのＩＤ番号を有効化する有効化信号を送信する。
以下に、プロジェクタ本体２に防塵ボックス３が接続された際の、防塵ボックス３のシステム制御ＩＣ３１のＩＤ番号設定処理について、図６に基づいて説明する。
【００６６】
防塵ボックス３がプロジェクタ本体２に、互いのＲＳ−２３２Ｃ端子２４１，３２１および制御信号線ＣＬを介して接続されると、周辺機器としての防塵ボックス３のシステム制御ＩＣ３１、具体的には、システム制御ＩＣ３１のシステム制御部３１４は、図６に示すように、新たなＩＤ番号を設定するために、プロジェクタ本体２に接続されるまで保持していたＩＤ番号を初期化する（処理Ｓ１１）。
この後、防塵ボックス３のシステム制御部３１４は、新たなＩＤ番号を得るために、当該システム制御部３１４の上位側に位置するプロジェクタ本体２のシステム制御ＩＣ２３２に対して、当該システム制御ＩＣ２３２のＩＤ番号を要求する要求信号を送信するとともに、自己のポート数等の情報を送信して（識別情報要求ステップＳ１２）、プロジェクタ本体２のシステム制御ＩＣ２３２からのデータ入力を待機する（処理Ｓ１３）。
【００６７】
一方、プロジェクタ本体２を構成するシステム制御ＩＣ２３２のシステム制御部２３２４は、各通信インターフェース２３２１〜２３２３を介する信号入力を監視しており（処理Ｓ２１）、信号入力の有無を判定している（処理Ｓ２２）。
ここで、システム制御部２３２４が、前述のＩＤ番号を要求する要求信号が入力していないと判定した場合には、処理Ｓ２１に戻り、信号入力の監視を継続する。
また、システム制御部２３２４が、当該要求信号が入力したと判定した場合には、自己のＩＤ番号、すなわち、プロジェクタ本体２のシステム制御ＩＣ２３２のＩＤ番号「００００００１０」と、防塵ボックス３が接続されたポート番号、すなわち、通信インターフェース２３２２のポート番号（「０」）を送信する（識別情報応答出力ステップＳ２３）。
【００６８】
この処理Ｓ２３においては、プロジェクタ本体２のシステム制御部２３２４は、当該システム制御ＩＣ２３２の上流側に位置するプロジェクタ本体２のＣＰＵ２３１のＩＤ番号、および、防塵ボックス３に並列に接続されたリモコン４のシステム制御ＩＣ４２のＩＤ番号を、防塵ボックス３のシステム制御ＩＣ３１に送信する。すなわち、新たに接続が検出された周辺機器からＩＤ番号の要求信号が入力した場合は、当該周辺機器の上流側に位置する機器のシステム制御ＩＣは、当該システム制御ＩＣのさらに上流側に位置するシステム制御ＩＣおよびＣＰＵを含む、設定されたすべての周辺機器のシステム制御ＩＣのＩＤ番号を、当該新たに接続された周辺機器のシステム制御ＩＣに出力する。
【００６９】
処理Ｓ１３により、プロジェクタ本体２のシステム制御ＩＣ２３２からの応答監視を行っていた防塵ボックス３のシステム制御部３１４は、ＩＤ番号生成のためのデータが入力したかの判定を行う（処理Ｓ１４）。
ここで、システム制御部３１４が、データが入力していないと判定した場合には、処理Ｓ１３に戻って、応答監視を継続する。
一方、システム制御部３１４が、データが入力したと判定した場合には、プロジェクタ本体２のシステム制御ＩＣ２３２から送信された当該システム制御ＩＣ２３２のＩＤ番号「００００００１０」、および、当該防塵ボックス３が接続されたポート番号「０」から、自己のＩＤ番号、すなわち、防塵ボックス３のシステム制御ＩＣ３１のＩＤ番号を生成する（識別情報生成ステップＳ１５）。
【００７０】
図７は、ＩＤ番号生成の手順を示す図である。
防塵ボックス３のシステム制御ＩＣ３１のシステム制御部３１４は、図７に示すように、まず、入力したプロジェクタ本体２のシステム制御ＩＣ２３２のＩＤ番号を、１桁左に論理シフトする。この結果、システム制御ＩＣ２３２のＩＤ番号である８桁の数字列「００００００１０」は、「０００００１００」となる。
このシフト後の数字列の末桁、すなわち、最も右側の桁の値に、防塵ボックス３が接続されたプロジェクタ本体２のシステム制御ＩＣ２３２のポート番号を加算する。ここで、防塵ボックス３が接続されたポート番号は「０」であるので、シフト後の数字列の末桁に「０」を加算することにより、「０００００１００」となる。この数字列が、プロジェクションシステム１における防塵ボックス３のシステム制御ＩＣ３１のＩＤ番号となる。
【００７１】
なお、リモコン４のシステム制御ＩＣ４２のＩＤ番号が「０００００１０１」とされているのは、当該リモコン４がプロジェクタ本体２のシステム制御ＩＣ２３２のポート番号「１」に接続されているためである。すなわち、システム制御ＩＣ２３２のＩＤ番号を１桁左に論理シフトし、シフト後のＩＤ番号の末桁に、当該リモコン４が接続されたシステム制御ＩＣ２３２のポート番号「１」を加算することによって、リモコン４のシステム制御ＩＣ４２のＩＤ番号は「０００００１０１」に設定されている。
【００７２】
これらＩＤ番号は、最上位に位置する画像表示装置としてのプロジェクタ本体２のＣＰＵ２３１からの接続順位を表している。
ここで、プロジェクタ本体２のＣＰＵ２３１の下位には、プロジェクタ本体２のシステム制御ＩＣ２３２が位置しており、ＣＰＵ２３１のＩＤ番号「０００００００１」に対し、システム制御ＩＣ２３２のＩＤ番号は「００００００１０」である。また、当該システム制御ＩＣ２３２の下位に位置する防塵ボックス３のシステム制御ＩＣ３１のＩＤ番号は、「０００００１００」であり、リモコン４のシステム制御ＩＣ４２のＩＤ番号は、「０００００１０１」である。このように、プロジェクタ本体２のＣＰＵ２３１の下位にデバイスが接続されるごとに、当該デバイスのＩＤ番号においては、プロジェクタ本体２を構成するＣＰＵ２３１のＩＤ番号の末桁「１」の位置が１桁ずつ左にシフトする。これにより、それぞれの機器のシステム制御ＩＣのＩＤ番号を、プロジェクタ本体２のＣＰＵ２３１およびシステム制御ＩＣ２３２に関連付けて設定することができ、接続した周辺機器の接続順位を容易に把握することができる。
【００７３】
また、プロジェクタ本体２、防塵ボックス３およびリモコン４のように、接続ポートを複数備える周辺機器に対して、ＰＣ５等の他の周辺機器を接続する場合においても、シフトした数字列の末桁に、当該他の周辺機器が接続されたポート番号が加算され、当該加算後の数字列が当該他の周辺機器のＩＤ番号となる。これによれば、接続した周辺機器が、プロジェクションシステム１における通信接続の階層構造のうち、どこに位置しているのかを容易に把握することができる。
【００７４】
このようにして生成した防塵ボックス３のシステム制御ＩＣ３１のＩＤ番号は、システム制御部３１４により、図６に示すように、当該システム制御ＩＣ３１のＩＤ番号として設定、保持される（識別情報設定ステップＳ１６）。また、この際、システム制御部３１４は、当該システム制御ＩＣ３１４の上位に位置するプロジェクタ本体２のシステム制御ＩＣ２３２およびＣＰＵ２３１、並びに、防塵ボックス３と並列に接続されたリモコン４のシステム制御ＩＣ４２のＩＤ番号を登録する（処理Ｓ１７）。これにより、プロジェクタ本体２の下位に位置する周辺機器である防塵ボックス３のシステム制御ＩＣ３１のＩＤ設定処理が終了する。
【００７５】
一方、処理Ｓ２３で自己のＩＤ番号およびポート番号を送信したシステム制御ＩＣ２３２のシステム制御部２３２４は、当該システム制御ＩＣ２３２の上位に位置するプロジェクタ本体２のＣＰＵ２３１、および、防塵ボックス３と並列に接続されたリモコン４のシステム制御ＩＣ４２に対して、防塵ボックス３のシステム制御ＩＣ３１のＩＤ番号を有効化する信号を送信する（有効化信号出力ステップＳ２４）。
【００７６】
この処理Ｓ２４においては、システム制御ＩＣ２３２のシステム制御部２３２４は、ＣＰＵ２３１およびリモコン４のシステム制御ＩＣ４２に対して、防塵ボックス３が接続されたポート番号「０」と、処理Ｓ１２で防塵ボックス３のシステム制御ＩＣ３１から送信された当該システム制御ＩＣ３１のデータとをあわせて送信する。
この処理Ｓ２４の後、システム制御部２３２４は、防塵ボックス３のシステム制御ＩＣ３１のＩＤ番号を生成し（処理Ｓ２５）、当該ＩＤ番号を有効化して（処理Ｓ２６）、処理を終了する。
【００７７】
一方、プロジェクタ本体２のＣＰＵ２３１は、下位に位置するシステム制御ＩＣ２３２からの有効化信号の入力を監視しており（処理Ｓ３１）、当該有効化信号の入力の有無を判定する（処理Ｓ３２）。
ここで、ＣＰＵ２３１の処理部２３１２が、有効化信号の入力がなかったと判定した場合には、処理Ｓ３１に戻って、信号入力の監視を継続する。
また、処理部２３１２が、有効化信号の入力があったと判定した場合には、当該有効化信号とともに入力するデータおよびポート番号に基づいて、有効化するＩＤ番号を生成する（処理Ｓ３３）。すなわち、ＣＰＵ２３１の処理部２３１２は、予め保持していたシステム制御ＩＣ２３２のＩＤ番号、および、有効化信号とともにシステム制御ＩＣ２３２から入力する防塵ボックス３の接続ポート番号から、防塵ボックス３のシステム制御ＩＣ３１のＩＤ番号を生成する。
【００７８】
この処理Ｓ３３の後、ＣＰＵ２３１の処理部２３１２は、生成した防塵ボックス３のシステム制御ＩＣ３１のＩＤ番号を有効化し（処理Ｓ３４）、また、有効化信号とともに入力する防塵ボックス３のシステム制御ＩＣ３１のポート数等の情報を登録する。これにより、ＣＰＵ２３１でのＩＤ番号設定処理が終了する。
【００７９】
このような処理Ｓ３１〜Ｓ３４は、有効化信号がプロジェクタ本体２のシステム制御ＩＣ２３２から入力したリモコン４のシステム制御ＩＣ４２においても同様に実行される。
具体的にリモコン４のシステム制御ＩＣ４２は、防塵ボックス３のシステム制御ＩＣ３１のＩＤ番号の生成とともに、当該リモコン４に他の周辺機器が接続されている場合に、当該他の周辺機器に、プロジェクタ本体２のシステム制御ＩＣ２３２のＩＤ番号、当該システム制御ＩＣ２３２に対する防塵ボックス３の接続ポート番号、防塵ボックス３の接続可能ポート数およびポート番号、並びに、防塵ボックス３のシステム制御ＩＣ３１のＩＤ番号の有効化信号を出力し、当該他の周辺機器に防塵ボックス３のシステム制御ＩＣ３１のＩＤ番号の生成および設定を実行させる。
【００８０】
このように、プロジェクションシステム１では、接続された周辺機器の上位に位置する機器のシステム制御ＩＣおよびＣＰＵ、当該周辺機器に並列に接続された機器のシステム制御ＩＣ、並びに、当該周辺機器の下位に位置する機器のシステム制御ＩＣに対して、当該接続された周辺機器のシステム制御ＩＣのＩＤ番号を設定するためのデータおよび有効化信号がそれぞれ出力される。これにより、プロジェクションシステム１全体で、新たにプロジェクタ本体２に接続された防塵ボックス３のシステム制御ＩＣ３１のＩＤ番号および詳細な情報を設定、保持することができる。なお、周辺機器としてＰＣ５が接続された場合は、ＰＣ５全体が、前述のシステム制御ＩＣに相当する。
【００８１】
また、プロジェクタ本体２のシステム制御ＩＣ２３２は、下位に位置する防塵ボックス３のシステム制御ＩＣ３１から、当該システム制御ＩＣ３１のＩＤ番号を生成するためのデータ、具体的には、システム制御ＩＣ２３２のＩＤ番号および当該システム制御ＩＣ２３２における防塵ボックス３の接続ポート番号等のデータを要求する要求信号が入力すると、当該ＩＤ番号および接続ポート番号を防塵ボックス３のシステム制御ＩＣ３１に出力するとともに、プロジェクタ本体２のＣＰＵ２３１およびリモコン４のシステム制御ＩＣ４２に、システム制御ＩＣ３１のＩＤ番号の有効化信号を出力する。これによれば、プロジェクションシステム１内で、防塵ボックス３のシステム制御ＩＣ３１のＩＤ番号を迅速に有効化することができる。従って、新たに接続された周辺機器の利用開始までの時間を短縮することができる。
【００８２】
なお、このようなＩＤ番号設定方法は、リモコン４および他の周辺機器がプロジェクタ本体２に接続された場合、ＰＣ５が防塵ボックス３に接続された場合、並びに、防塵ボックス３およびリモコン４に他の周辺機器が接続された場合でも同様に行われ、それぞれのＩＤ番号が生成、設定される。なお、プロジェクタ本体２および当該プロジェクタ本体２に接続された周辺機器にＰＣ５が接続された場合、ＰＣ５内のＩＤ番号の設定処理は、前述のように、当該ＰＣ５のＣＰＵ５１上で実行されるプログラムによって行われる。
【００８３】
（７）周辺機器接続解除時のＩＤ番号無効化処理
図８は、周辺機器の接続が解除された場合のＩＤ番号無効化処理の処理フローを示す図である。具体的には、図８は、プロジェクタ本体２と防塵ボックス３との接続が解除された場合の当該プロジェクタ本体２における処理フローを示す図である。
本実施形態のプロジェクションシステム１では、上位の周辺機器は、下位の周辺機器の接続状態を監視して、接続が解除されたと判定した場合には、当該下位の周辺機器のシステム制御ＩＣのＩＤ番号を無効化する処理を行う。また、下位の周辺機器としてＰＣ５が該当する場合には、当該ＰＣ５のＩＤ番号として設定された情報を無効化する処理を行う。
以下、プロジェクタ本体２と防塵ボックス３との接続が解除された場合のＩＤ番号無効化処理について説明する。
【００８４】
プロジェクタ本体２のシステム制御ＩＣ２３２のシステム制御部２３２４は、図８に示すように、当該プロジェクタ本体２に接続された周辺機器（本実施形態では防塵ボックス３）との接続を常に監視し（処理Ｓ４１）、当該接続が有効であるか否かを判定する（処理Ｓ４２）。
ここで、システム制御部２３２４が、防塵ボックス３との接続が有効であると判定した場合には、処理Ｓ４１に戻って、接続状態の監視を継続する。
【００８５】
一方、システム制御部２３２４が、防塵ボックス３との接続が有効でない、すなわち、当該接続が解除されたと判定した場合には、当該システム制御部２３２４が設けられたシステム制御ＩＣ２３２の上位に位置するプロジェクタ本体２のＣＰＵ２３１、および、システム制御ＩＣ２３２に防塵ボックス３と並列に接続されたリモコン４のシステム制御ＩＣ４２に対して、防塵ボックス３のシステム制御ＩＣ３１のＩＤ番号を無効化する信号を出力し（処理Ｓ４３）、当該ＩＤ番号を無効化させる。
この後、システム制御ＩＣ２３２のシステム制御部２３２４は、防塵ボックス３のシステム制御ＩＣ３１のＩＤ番号を無効化し（処理Ｓ４４）、システム制御ＩＣ２３２におけるＩＤ番号無効化処理を終了する。
【００８６】
一方、プロジェクタ本体２のＣＰＵ２３１の処理部２３１２は、下位であるシステム制御ＩＣ２３２から無効化信号が入力するか否かの監視を常に行っており（処理Ｓ５１）、当該無効化信号の入力の有無を判定する（処理Ｓ５２）。
ここで、ＣＰＵ２３１の処理部２３１２が、無効化信号の入力がないと判定した場合、当該処理部２３１２は、処理Ｓ５１に戻って、信号入力監視を継続する。
また、処理部２３１２が、無効化信号の入力があったと判定した場合、当該処理部２３１２は、入力した無効化信号が示すＩＤ番号を無効化し（処理Ｓ５３）、ＣＰＵ２３１におけるＩＤ番号無効化処理を終了する。
なお、本実施形態では、ＣＰＵ２３１がプロジェクションシステム１において最上位に位置するため、処理Ｓ５３における防塵ボックス３のシステム制御ＩＣ３１のＩＤ番号無効化の後、ＣＰＵ２３１におけるＩＤ番号無効化処理を終了している。しかしながら、当該ＣＰＵ２３１のさらに上位にシステム制御ＩＣまたはＣＰＵが位置している場合には、当該上位のシステム制御ＩＣまたはＣＰＵに対して、ＣＰＵ２３１は、前述の無効化信号を出力し、防塵ボックス３のシステム制御ＩＣ３１のＩＤ番号を無効化させる。
【００８７】
なお、上記処理Ｓ４１〜Ｓ４４およびＳ５１〜Ｓ５３は、プロジェクタ本体２とリモコン４との接続が解除された場合も同様に実行される。この場合、プロジェクタ本体２のシステム制御ＩＣ２３２は、ＣＰＵ２３１、および、当該システム制御ＩＣ２３２に接続された防塵ボックス３のシステム制御ＩＣ３１に対して、リモコン４のシステム制御ＩＣ４２のＩＤ番号を無効化する無効化信号を出力する。
【００８８】
また、前述のように、防塵ボックス３とＰＣ５との接続が解除された場合においても、上記処理Ｓ４１〜Ｓ４４およびＳ５１〜Ｓ５３と同様の処理が実行される。この場合、ＰＣ５の上位に位置する防塵ボックス３のシステム制御ＩＣ３１が、ＰＣ５のＩＤ番号としてシステム制御ＩＣ３１に設定されていた番号の無効化を行うとともに、さらに上位に位置するプロジェクタ本体２のシステム制御ＩＣ２３２に対して、ＰＣ５のＩＤ番号の無効化信号を出力する。そして、当該無効化信号が入力したシステム制御ＩＣ２３２は、前述の処理Ｓ４１〜Ｓ４４を実行し、これに伴い、ＣＰＵ２３１は処理Ｓ５１〜Ｓ５３を実行して、当該システム制御ＩＣ２３２およびＣＰＵ２３１が設定保持していたＰＣ５のＩＤ番号を無効化する。この際、同様に、リモコン４のシステム制御ＩＣ４２においても、ＰＣ５のＩＤ番号の無効化が行われる。
【００８９】
以上のような本実施形態のプロジェクションシステム１により、以下の効果を奏することができる。
すなわち、プロジェクタ本体２の制御基板２３に設けられた演算処理装置としてのＣＰＵ２３１と、システム制御装置および表示装置側システム制御装置としてのシステム制御ＩＣ２３２との間の通信プロトコルは、当該システム制御ＩＣ２３２とＲＳ−２３２Ｃ端子２４との間の通信プロトコルと同じとされている。つまり、それぞれの通信プロトコルは、ＲＳ−２３２Ｃ端子２４に設定される通信プロトコルで統一されている。
これによれば、プロジェクタ本体２のＣＰＵ２３１は、当該プロジェクタ本体２に接続される周辺機器、本実施形態では、防塵ボックス３およびリモコン４を、プロジェクタ本体２に設けられる内部デバイス、具体的には、光源駆動回路２６１およびファン２８等と同じ通信プロトコルの制御信号で制御することができる。また、ＰＣ５と防塵ボックス３との通信においても、ＣＰＵ２３１がプロジェクタ本体２の内部デバイスを制御する制御信号と同じ通信プロトコルでの通信が、プログラムの実行により実現されている。
従って、プロジェクタ本体２のＣＰＵ２３１は、当該プロジェクタ本体２の内部デバイスと周辺機器３，４，５とを統一化した共通仕様の制御信号で制御することが可能となる。また、これにより、通信プロトコルの違いによる制御信号の変換処理を実行する必要がなくなるので、ＣＰＵ２３１等の処理の低減を図ることができる。
【００９０】
また、プロジェクタ本体２に防塵ボックス３が新たに接続された場合には、当該防塵ボックス３のシステム制御ＩＣ３１は、識別情報要求ステップＳ１２により、プロジェクタ本体２のシステム制御ＩＣ２３２に対して、当該システム制御ＩＣ２３２のＩＤ番号およびシステム制御ＩＣ２３２における防塵ボックス３の接続ポート番号を要求する要求信号を出力する。この後、防塵ボックス３のシステム制御ＩＣ３１は、システム制御ＩＣ２３２から応答出力された当該システム制御ＩＣ２３２のＩＤ番号および防塵ボックス３の接続ポート番号に基づいて、識別情報設定ステップＳ１６により、自己のＩＤ番号を生成し、設定する。
これによれば、プロジェクタ本体２に接続された防塵ボックス３のＩＤ番号を、当該プロジェクタ本体２のシステム制御ＩＣ２３２のＩＤ番号に基づいて設定することができる。このことは、プロジェクタ本体２にリモコン４が新たに接続された場合の当該リモコン４のシステム制御ＩＣ４２のＩＤ番号設定においても、また、防塵ボックス３およびリモコン４に他の周辺機器、例えばＰＣ５が接続された場合の当該他の周辺機器のシステム制御ＩＣのＩＤ番号設定においても、同様のことが言える。
【００９１】
さらに、プロジェクタ本体２、防塵ボックス３およびリモコン４のシステム制御ＩＣ２３２，３１，４２は、本実施形態では、それぞれ同じシステム制御ＩＣを用いている。これによれば、プロジェクタ本体２のＣＰＵ２３１によって当該プロジェクタ本体２の内外を共通仕様で制御可能なプロジェクションシステム１を、簡易に構成することができる。
すなわち、プロジェクタ本体２、防塵ボックス３およびリモコン４のそれぞれのシステム制御ＩＣ２３２，３１，４２に同じシステム制御ＩＣを用いることにより、プロジェクタ本体２のＣＰＵ２３１とシステム制御ＩＣ２３２との通信方式、および、システム制御ＩＣ２３２と防塵ボックス３およびリモコン４のシステム制御ＩＣ３１，４２との通信方式を、容易に統一化することができる。また、防塵ボックス３のシステム制御ＩＣ３１とＰＣ５との通信方式は、ＰＣ５を構成するＣＰＵ５１で実行されるプログラムにより、プロジェクタ本体２のシステム制御ＩＣ２３２と防塵ボックス３のシステム制御ＩＣ３１との通信方式と同一仕様の通信接続を実現している。
従って、プロジェクタ本体２のＣＰＵ２３１により、プロジェクタ本体２および当該プロジェクタ本体２に接続される周辺機器３，４，５を統一化した共通仕様の制御信号によって制御することが可能なプロジェクションシステム１を容易に構成することができる。また、防塵ボックス３のように、プロジェクタ本体２の機能拡張を行うことのできる機器の開発容易性を向上することができる。
【００９２】
〔２．第２実施形態〕
次に、本発明の第２実施形態に係るプロジェクションシステムについて説明する。
第２実施形態に係るプロジェクションシステムは、前述した第１実施形態に係るプロジェクションシステム１と略同じ構成を備えるが、ＩＤ番号の設定方法について、第１実施形態のプロジェクションシステム１と相違する。
なお、以下の説明では、既に説明した部分と同一または略同一である部分については、同一の符号を付して説明を省略する。
【００９３】
第２実施形態のプロジェクションシステムでは、前述の第１実施形態のプロジェクションシステム１と同様に、プロジェクタ本体２および各周辺機器３，４のシステム制御ＩＣ３１，４２は、当該プロジェクタ本体２および周辺機器３，４に、他の周辺機器が接続されたか否かを監視している。そして、各システム制御ＩＣ２３２，３１，４２は、他の周辺機器の接続を検出すると、当該他の接続機器のシステム制御ＩＣのＩＤ番号を設定する処理を行う。
なお、以下の説明では、プロジェクタ本体２に防塵ボックス３が接続されたと仮定して説明するが、防塵ボックス３に代えてリモコン４が接続された場合も同様である。さらに、当該防塵ボックス３またはリモコン４に他の周辺機器が接続された場合、例えば、防塵ボックス３にリモコン４が接続された場合や、リモコン４を介してプロジェクタ本体２に防塵ボックス３が接続された場合等も同様である。
【００９４】
図９は、第２実施形態のプロジェクションシステムにおけるシステム制御ＩＣのＩＤ番号の設定処理の処理フローを示す図である。
まず、防塵ボックス３のシステム制御ＩＣ３１のシステム制御部３１４は、図９に示すように、当該防塵ボックス３がプロジェクタ本体２に制御信号線ＣＬを介して接続されると、設定していたＩＤ番号を初期化する（処理Ｓ６１）。
この後、システム制御ＩＣ３１のシステム制御部３１４は、防塵ボックス３の上位に位置するプロジェクタ本体２のシステム制御ＩＣ２３２に対して、自己、すなわち、システム制御ＩＣ３１のＩＤ番号を要求する要求信号、および、自己の情報を送信し（識別情報要求ステップＳ６２）、システム制御ＩＣ２３２からのＩＤ番号等の入力を待機する（処理Ｓ６３）。
【００９５】
一方、システム制御ＩＣ２３２のシステム制御部２３２４は、システム制御ＩＣ３１からの要求信号の入力を監視しており（処理Ｓ７１）、当該要求信号の入力の有無を判定する（処理Ｓ７２）。
ここで、システム制御部２３２４が、要求信号は入力しなかったと判定した場合は、再び処理Ｓ７１に戻って、信号入力の監視を継続する。
【００９６】
また、システム制御部２３２４が、要求信号が入力したと判定した場合には、当該システム制御部２３２４は、自己、すなわち、システム制御ＩＣ２３２のＩＤ番号、および、下位に位置する防塵ボックス３が接続されたポート番号「０」から、当該防塵ボックス３のシステム制御ＩＣ３１のＩＤ番号を生成する（処理Ｓ７３）。この処理Ｓ７３は、前述の処理Ｓ１５と略同じであり、図７に示した手順でＩＤ番号の生成が行われる。
この処理Ｓ７３の後、システム制御部２３２４は、生成したＩＤ番号と、プロジェクタ本体２のシステム制御ＩＣ２３２およびＣＰＵ２３１、並びに、防塵ボックス３と並列にプロジェクタ本体２に接続されたリモコン４のシステム制御ＩＣ４２の各ＩＤ番号およびポート番号等を含むデータを、防塵ボックス３のシステム制御ＩＣ３１に出力する（識別情報送信出力ステップＳ７４）。
【００９７】
一方、処理Ｓ６３により、ＩＤ番号等の入力待機状態にあるシステム制御ＩＣ３１のシステム制御部３１４は、データが入力したか否かを判定する（処理Ｓ６４）。
ここで、システム制御部３１４が、データが入力しなかったと判定した場合には、再び処理Ｓ６３に戻って、データ入力の待機状態を継続する。
また、システム制御部３１４が、データが入力したと判定した場合には、当該データ中に含まれるシステム制御ＩＣ３１のＩＤ番号を設定する（処理Ｓ６５）。そして、システム制御部３１４は、当該データ中に含まれるプロジェクタ本体２およびリモコン４のシステム制御ＩＣ２３２，４２およびプロジェクタ本体２のＣＰＵ２３１のＩＤ番号を登録して（処理Ｓ６６）、ＩＤ番号設定処理を終了する。
【００９８】
一方、プロジェクタ本体２のシステム制御ＩＣ２３２のシステム制御部２３２４は、処理Ｓ７４と略同時に、上位に位置するプロジェクタ本体２のＣＰＵ２３１、および、システム制御ＩＣ２３２に防塵ボックス３と並列に接続されたリモコン４のシステム制御ＩＣ４２に対して、防塵ボックス３のシステム制御ＩＣ３１のポート番号、ＩＤ番号、および、システム制御ＩＣ３１のＩＤ番号を有効化する有効化信号を送信出力する（有効化信号出力ステップＳ７５）。
この処理Ｓ７５の後、システム制御ＩＣ２３２のシステム制御部２３２４は、生成したシステム制御ＩＣ３１のＩＤ番号を有効化して、当該システム制御ＩＣ２３２における処理を終了する。
【００９９】
一方、プロジェクタ本体２のＣＰＵ２３１の処理部２３１２は、下位に位置するシステム制御ＩＣ２３２からの有効化信号の入力を監視しており（処理Ｓ８１）、当該有効化信号が入力したか否かの判定を行う（処理Ｓ８２）。
ここで、ＣＰＵ２３１の処理部２３１２が、有効化信号が入力しなかったと判定した場合、当該処理部２３１２は、処理Ｓ８１に戻って、有効化信号の入力監視を継続する。
また、処理部２３１２が、有効化信号が入力したと判定した場合には、当該処理部２３１２は、有効化信号とともに入力するシステム制御ＩＣ３１のポート数およびＩＤ番号等のデータを保持し、当該ＩＤ番号を有効化して（処理Ｓ８３）、ＣＰＵ２３１における防塵ボックス３のシステム制御ＩＣ３１のＩＤ番号設定処理を終了する。
【０１００】
また、同様に、システム制御ＩＣ３１のＩＤ番号等のデータおよび有効化信号が入力したリモコン４のシステム制御ＩＣ４２のシステム制御部４２４は、当該ＩＤ番号の有効化等を行うとともに、リモコン４に他の周辺機器が接続されている場合には、当該他の周辺機器に対して当該データおよび有効化信号を出力する。この処理により、リモコン４のシステム制御ＩＣ４２における防塵ボックス３のシステム制御ＩＣ３１のＩＤ番号設定処理を終了する。
なお、このようなＩＤ番号設定方法は、リモコン４および他の周辺機器がプロジェクタ本体２に接続された場合、ＰＣ５が防塵ボックス３に接続された場合、並びに、防塵ボックス３およびリモコン４に他の周辺機器が接続された場合でも同様に行われ、それぞれのＩＤ番号が生成、設定される。
【０１０１】
以上のような第２実施形態のプロジェクションシステムによれば、前述の第１実施形態で示したプロジェクションシステム１と同様の効果を奏することができるほか、以下の効果を奏することができる。
すなわち、新たな周辺機器として防塵ボックス３がプロジェクタ本体２に接続された場合には、当該防塵ボックス３のシステム制御ＩＣ３１のＩＤ番号は、直近の上位側に位置するプロジェクタ本体２のシステム制御ＩＣ２３２のシステム制御部２３２４によって生成される。そして、生成されたＩＤ番号は、システム制御ＩＣ２３２から防塵ボックス３のシステム制御ＩＣ３１に出力され、当該システム制御ＩＣ３１は入力したＩＤ番号を自己のＩＤ番号として有効化する。これによれば、上位に位置するシステム制御ＩＣのシステム制御部から新たな周辺機器に、当該周辺機器が接続されたポートの番号、および、上位側に位置するシステム制御ＩＣのＩＤ番号を送信する場合に比べ、出力する情報量を低減することができる。従って、プロジェクションシステムにおける機器間の通信を安定化させることができる。
なお、このような効果は、新たな周辺機器としてリモコン４または他の機器をプロジェクタ本体２に接続した場合も同様であり、また、プロジェクタ本体２に防塵ボックス３等の周辺機器が接続された状態で、当該周辺機器に他の周辺機器を新たに接続した場合、例えば、プロジェクタ本体２に接続された防塵ボックス３に、リモコン４が接続された場合も同様である。
【０１０２】
〔３．実施形態の変形〕
本発明を実施するための最良の構成などは、以上の記載で開示されているが、本発明はこれに限定されるものではない。すなわち、上記の記載は、本発明の理解を容易にするために例示的に記載したものであり、本発明を限定するものではないから、それらの構成などの限定の一部若しくは全部の限定を外した名称での記載は、本発明に含まれるものである。
【０１０３】
前記各実施形態では、周辺機器のシステム制御ＩＣのＩＤ番号設定について、プロジェクタ本体２に防塵ボックス３が接続された場合を例として説明したが、前述のように、プロジェクタ本体２にリモートコントローラ４が接続された場合にも、前記各実施形態で示したＩＤ番号設定の手順によりＩＤ番号が設定される。さらに、プロジェクタ本体２に防塵ボックス３等の周辺機器が接続されている場合において、当該周辺機器にさらに別の周辺機器が接続された場合でも、同様のＩＤ番号設定処理により、当該他の周辺機器のシステム制御ＩＣに相当する制御部のＩＤ番号を設定することができる。
【０１０４】
図１０は、前記各実施形態の変形であるプロジェクションシステム１Ａの構成を示す図である。なお、図１０においては、プロジェクタ本体２、防塵ボックス３、リモコン４およびＰＣ５の構成を、一部省略して図示している。
プロジェクションシステム１Ａでは、図１０に示すように、プロジェクタ本体２に防塵ボックス３が接続され、当該防塵ボックス３にリモートコントローラ４が接続されている。詳述すると、プロジェクタ本体２のポート番号「０」であるＲＳ−２３２Ｃ端子２４１には、ＲＳ−２３２Ｃケーブルである制御信号線ＣＬを介して防塵ボックス３が接続されている。また、この防塵ボックス３のポート番号「０」であるＲＳ−２３２Ｃ端子３２２には、制御信号線ＣＬを介してＰＣ５が接続され、このＰＣ５は、プロジェクタ本体２の映像入力端子２５と、情報信号線ＩＬを介して接続されている。さらに、防塵ボックス３のポート番号「１」であるＲＳ−２３２Ｃ端子３２３には、制御信号線ＣＬを介してリモートコントローラ４が接続されている。
【０１０５】
ここで、リモートコントローラ４が、防塵ボックス３に対して新たに接続されたとした場合、前記各実施形態で示したＩＤ番号設定処理を行う。なお、この場合、防塵ボックス３が本発明の周辺機器に相当し、リモートコントローラ４が本発明の他の周辺機器に相当する。
具体的には、リモートコントローラ４が防塵ボックス３に接続された場合、前述の第１実施形態のＩＤ番号設定処理においては、リモートコントローラ４、防塵ボックス３およびプロジェクタ本体２のそれぞれのシステム制御ＩＣ４２，３１，２３２が、処理Ｓ１１〜Ｓ１７，Ｓ２１〜Ｓ２６，Ｓ３１〜Ｓ３４と同様の処理をそれぞれ実行する。この場合、プロジェクタ本体２のＣＰＵ２３１は、処理Ｓ３１〜Ｓ３４を実行する。また、前述の第２実施形態のＩＤ番号設定処理においては、リモートコントローラ４、防塵ボックス３およびプロジェクタ本体２のそれぞれのシステム制御ＩＣ４２，３１，２３２が、処理Ｓ６１〜Ｓ６６，Ｓ７１〜Ｓ７６，Ｓ８１〜Ｓ８３と同様の処理をそれぞれ実行する。この場合、プロジェクタ本体２のＣＰＵ２３１は、処理Ｓ８１〜Ｓ８３を実行する。
【０１０６】
これにより、前記各実施形態と同様に、新たに接続されたリモートコントローラ４のＩＤ番号を設定することができ、当該ＩＤ番号を、プロジェクションシステム１Ａを構成する全ての機器で共有することができる。さらに、リモートコントローラ４のＩＤ番号を、プロジェクタ本体２のＣＰＵ２３１からの順位に応じて設定することができ、プロジェクションシステム１Ａにおけるリモートコントローラ４の接続位置を容易に把握することができる。
【０１０７】
さらに、プロジェクションシステム１Ａにおいて、防塵ボックス３とリモートコントローラ４との接続が解除された場合は、前述の第１実施形態のＩＤ番号無効化処理を実行する。
具体的に、防塵ボックス３のシステム制御ＩＣ３１は前述の処理Ｓ４１〜Ｓ４４と同様の処理を実行し、プロジェクタ本体２のシステム制御ＩＣ２３２およびＣＰＵ２３１は、処理Ｓ５１〜Ｓ５３と同様の処理を実行する。
これにより、リモートコントローラ４との接続が解除されたことを防塵ボックス３が認識して、リモートコントローラ４の上位、および、当該リモートコントローラ４と同じ順位に位置する機器に設定されたリモートコントローラ４のＩＤ番号を、迅速に無効化することができる。
【０１０８】
前記各実施形態では、プロジェクタ本体２のＣＰＵ２３１とシステム制御ＩＣ２３２との間で通信される信号の伝送路、および、システム制御ＩＣ２３２とＲＳ−２３２Ｃ端子との間で通信される信号の伝送路は、ＲＳ−２３２Ｃとしたが、本発明はこれに限らず、ＩＥＥＥ１３９４としてもよい。また、ＵＳＢにより実現するようにしてもよい。
ここで、ＵＳＢとした場合、プロジェクタ本体２に数珠繋ぎ（デイジーチェーン型）に接続される周辺機器の全てが、当該プロジェクタ本体２に直接接続される周辺機器のシステム制御ＩＣに接続されるように見せかける仮想ハブを構成するプログラムを実行させれば、前述のＲＳ−２３２ＣおよびＩＥＥＥ１３９４の場合と同様の効果を奏することができる。
また、制御信号線としてＲＳ−２３２Ｃを用いるとしたが、本発明はこれに限らず、ＩＥＥＥ１３９４およびＵＳＢで接続してもよく、また、他の通信方式でもよい。
【０１０９】
前記各実施形態では、周辺機器として、防塵ボックス３、リモートコントローラ（リモコン）４およびＰＣ５を例示したが、これら以外のものでもよく、また接続順も適宜変更してよい。
また、これら周辺機器のシステム制御ＩＣ３１，４２は、それぞれ同じシステム制御ＩＣを用いたが、それぞれ異なるシステム制御ＩＣを採用してもよい。
さらに、周辺機器としてＰＣを採用する場合、前記各実施形態では、描画処理を行う描画処理部５２４２を有するコンピュータシステムＩＣ５２を備えたＰＣ５を採用したが、本発明はこれに限らず、コンピュータシステムＩＣとは別のＩＣ等により描画処理を実行するＰＣを採用してもよい。
【０１１０】
前記各実施形態では、最上位となるプロジェクタ本体２のＣＰＵ２３１のＩＤ番号を、下位になるにつれて、左に１桁論理シフトし、末桁に接続ポート番号を加算するようにして、システム制御ＩＣのＩＤ番号を設定したが、本発明はこれに限らない。例えば、ポートとしての通信インターフェースの数によっては、２桁ずつシフトするようにしてもよく、また、右にシフトするようにしてもよい。また、ＩＤ番号は、必ずしも８桁である必要はなく、適宜変更してよい。
また、識別情報は、前述したＩＤ番号でなくても、プロジェクタ本体２のＣＰＵ２３１、システム制御ＩＣ２３２、および、周辺機器のシステム制御ＩＣを識別可能であれば、他の情報でもよい。
【０１１１】
前記各実施形態では、光学ユニット２１が平面視略Ｌ字形状を有した構成を説明したが、これに限らず、例えば、平面視略Ｕ字形状を有した構成を採用してもよい。
また、前記各実施形態では、光束入射面と光束射出面とが異なる透過型の液晶パネル２１４１を用いたが、光入射面と光射出面とが同一となる反射型の液晶パネルを用いてもよい。
さらに、前記各実施形態では、３つの液晶パネルを用いたプロジェクタの例のみを挙げたが、３つ未満、あるいは、４つ以上の液晶パネルを用いたプロジェクタにも適用可能である。
【０１１２】
前記各実施形態では、画像表示装置として、液晶パネル２１４１を利用して形成した光学像を拡大投射するプロジェクタ本体２を例示したが、本発明はこれに限らず、マイクロミラーなど液晶パネル以外の光学素子を利用したプロジェクタ本体にも採用することができる。この場合、入射側偏光板２１４２および射出側偏光板２１４３は、省略することができる。
また、前記各実施形態では、画像表示装置として、スクリーンを観る方向から投射を行うフロントタイプのプロジェクタ本体の例のみを挙げたが、本発明は、スクリーンを観察する方向とは反対側から投射を行うリアタイプのプロジェクタ本体にも適用可能である。
さらに、プロジェクタに限らず、ＣＲＴ（Cathode-Ray Tube）ディスプレイ、液晶ディスプレイおよびプラズマディスプレイ等の画像表示装置にも、本発明を採用することができる。
【産業上の利用可能性】
【０１１３】
本発明は、プロジェクタ、液晶ディスプレイ、プラズマディスプレイ等の画像表示装置に好適に利用できる他、当該画像表示装置に周辺機器を接続して構成される画像表示システムにも利用することができる。
【図面の簡単な説明】
【０１１４】
【図１】本発明の第１実施形態に係るプロジェクションシステムを示す構成図。
【図２】前記実施形態におけるプロジェクタ本体の内部構成を示す模式図。
【図３】前記実施形態におけるプロジェクタ本体および防塵ボックスの構成を示すブロック図。
【図４】前記実施形態におけるプロジェクタ本体およびリモートコントローラの構成を示すブロック図。
【図５】前記実施形態におけるプロジェクタ本体およびパーソナルコンピュータの構成を示すブロック図。
【図６】前記実施形態におけるＩＤ番号設定処理の処理フローを示す図。
【図７】前記実施形態におけるＩＤ番号生成の手順を示す図。
【図８】前記実施形態におけるＩＤ番号無効化処理の処理フローを示す図。
【図９】本発明の第２実施形態に係るプロジェクションシステムのＩＤ番号設定処理の処理フローを示す図。
【図１０】前記各実施形態の変形であるプロジェクションシステムの構成を示すブロック図。
【符号の説明】
【０１１５】
１…プロジェクションシステム（画像表示システム）、２…プロジェクタ本体（画像表示装置）、２３…制御基板（制御手段）、２４（２４１，２４２）…ＲＳ−２３２Ｃ端子（外部接続端子）、２３１…ＣＰＵ（演算処理装置）、２３２…システム制御ＩＣ（システム制御装置，表示装置側システム制御装置）、３…防塵ボックス（外部機器、周辺機器）、４…リモートコントローラ（外部機器、周辺機器、他の周辺機器）、５…ＰＣ（周辺機器、外部機器、他の周辺機器）、３２，４４…ＲＳ−２３２Ｃ端子（他の外部接続端子）、Ｓ１２，Ｓ６２…処理（識別情報要求ステップ）、Ｓ１５〜Ｓ１６…処理（識別情報設定ステップ，識別情報生成ステップ）、Ｓ２３…処理（識別情報応答出力ステップ）、Ｓ２４，Ｓ７５…処理（有効化信号出力ステップ）、Ｓ７４…処理（識別情報送信出力ステップ）。
【図１】
2006209729.tif 000003
【図２】
2006209729.tif 000004
【図３】
2006209729.tif 000005
【図４】
2006209729.tif 000006
【図５】
2006209729.tif 000007
【図６】
2006209729.tif 000008
【図７】
2006209729.tif 000009
【図８】
2006209729.tif 000010
【図９】
2006209729.tif 000011
【図１０】
2006209729.tif 000012